(57)【要約】【課題】アルバム作成中に、所定の操作に応じてサブアルバムの作成を開始し、複数のアルバムを並行して作成できるようにする。【解決手段】画像を撮影しながら電子アルバムを作成するモードでの撮影において、編集対象のアルバムを、ユーザ操作に応じてメインアルバムからサブアルバムに切替えることができるようにすることにより、並行して複数のアルバムを作成可能とする。これにより、異なるテーマの複数のアルバムを並行して作成することを、複雑な操作を行うことなく実現できるようにする。【選択図】図２
2012023612.tif 000002
【特許請求の範囲】
【請求項１】
アルバム生成モードを有する撮像装置であって、
被写体を撮像して画像データを出力する撮像手段と、
前記撮像手段から出力される画像データに基づく撮影画像をレイアウトするためのテンプレートが複数記憶されたテンプレート記憶媒体と、
前記テンプレート記憶媒体に記憶されている複数のテンプレートの中から、アルバムを作成するのに使用するテンプレートをユーザに選択させるテンプレート選択手段と、
前記テンプレート選択手段により選択されたテンプレートを前記テンプレート記憶媒体から読出し、編集対象として表示部に設定するテンプレート設定手段と、
前記撮像手段から出力される画像データを前記テンプレート設定手段により設定されたテンプレートに関連付けてアルバムデータを生成して記録するアルバム生成手段と、
前記アルバム生成手段が編集している編集対象のアルバムを、ユーザ操作に応じてメインアルバムからサブアルバムに切替える編集アルバム切替え手段とを備えることを特徴とする撮像装置。
【請求項２】
前記テンプレート記憶媒体に記憶されるテンプレートは、各画像枠の大きさ、形状、色、および背景色のいずれかに関わるデザイン情報を含み、
前記アルバム生成手段は、前記ユーザ操作に応じて前記編集アルバム切替え手段が編集対象のアルバムをメインアルバムからサブアルバムに切替えた場合は、メインアルバムのテンプレートのデザイン情報に基づいてサブアルバムのテンプレートのデザイン情報を生成することを特徴とする請求項１に記載の撮像装置。
【請求項３】
前記アルバム生成手段は、前記ユーザにより編集アルバム切替え操作がなされた場合は、メインアルバムのテンプレートを用いたアルバムデータに、サブアルバムのテンプレートを用いたアルバムデータを関連付けて記録することを特徴とする請求項１または２に記載の撮像装置。
【請求項４】
前記アルバム生成手段は、編集対象のアルバムを切替えてサブアルバムのテンプレートを用いたアルバムデータの生成を終了させるための終了操作手段をユーザに提供し、
前記終了操作手段を提供してから所定の時間が経過した場合、ユーザにより撮像装置の電源断の操作がなされた場合、ユーザにより撮像装置の電源が投入された場合の何れかにおいて、ユーザに前記終了操作手段による終了操作を実行するよう警告または強制終了することを特徴とする請求項１〜３の何れか１項に記載の撮像装置。
【請求項５】
前記アルバム生成手段は、ユーザによりサブアルバムのテンプレートへの切替え操作がなされた場合、前記サブアルバムのテンプレートを用いたアルバムデータの生成を開始する前に、前記メインアルバムのテンプレートに関連付けた最後の画像データと同一の画像データを、前記サブアルバムのテンプレートに関連付けることを特徴とする請求項１〜４の何れか１項に記載の撮像装置。
【請求項６】
前記アルバム生成手段は、ユーザにより前記サブアルバムのテンプレートを用いたアルバムデータの生成の終了操作がなされた場合、中断していた前記メインアルバムのテンプレートを用いたアルバムデータの生成を再開する前に、前記サブアルバムのテンプレートに関連付けた最後の画像データと同一の画像データを、前記メインアルバムのテンプレートに関連付けることを特徴とする請求項１〜５の何れか１項に記載の撮像装置。
【請求項７】
前記アルバム生成手段は、メインアルバムのテンプレートを用いてアルバムデータの生成が開始された場合、中断しているテンプレートが既に所定数を超える場合は、ユーザに編集対象のテンプレートをサブアルバムのテンプレートに切替えるための編集アルバム切替え手段を提供しないことを特徴とする請求項１〜６の何れか１項に記載の撮像装置。
【請求項８】
アルバム生成モードを有する撮像方法であって、
被写体を撮像して画像データを出力する撮像工程と、
撮像工程で出力される画像データに基づく撮影画像をレイアウトするためのテンプレートが複数記憶されたテンプレート記憶媒体に記憶されている複数のテンプレートの中から、アルバムを作成するのに使用するテンプレートをユーザに選択させるテンプレート選択工程と、
前記テンプレート選択工程において選択されたテンプレートを前記テンプレート記憶媒体から読出し、編集対象として表示部に設定するテンプレート設定工程と、
前記テンプレート設定工程において設定されているテンプレートに前記撮像工程で出力される画像データを関連付けてアルバムデータを生成して記録するアルバム生成工程と、
前記アルバム生成工程で編集している編集対象のアルバムを、ユーザ操作に応じてメインアルバムからサブアルバムに切替える編集アルバム切替え工程とを備えることを特徴とする撮像方法。
【請求項９】
アルバム生成モードを有する撮像方法の各処理をコンピュータに実行させるプログラムであって、
被写体を撮像して画像データを出力する撮像工程と、
撮像工程で出力される画像データに基づく撮影画像をレイアウトするためのテンプレートが複数記憶されたテンプレート記憶媒体に記憶されている複数のテンプレートの中から、アルバムを作成するのに使用するテンプレートをユーザに選択させるテンプレート選択工程と、
前記テンプレート選択工程において選択されたテンプレートを前記テンプレート記憶媒体から読出し、編集対象として表示部に設定するテンプレート設定工程と、
前記テンプレート設定工程において設定されているテンプレートに前記撮像工程で出力される画像データを関連付けてアルバムデータを生成して記録するアルバム生成工程と、
前記アルバム生成工程で編集している編集対象のアルバムを、ユーザ操作に応じてメインアルバムからサブアルバムに切替える編集アルバム切替え工程とをコンピュータに実行させることを特徴とするプログラム。
【請求項１０】
請求項９に記載のプログラムを記憶したことを特徴とするコンピュータ読み取り可能な記憶媒体。
【発明の詳細な説明】
【技術分野】
【０００１】
本発明は撮像装置及び撮像方法に関し、特に、画像を撮影しながら電子アルバムを生成するために用いて好適な技術に関する。
【背景技術】
【０００２】
従来、画像を撮影しながら撮影画像を所望の配置にレイアウトし、電子アルバムを生成可能なデジタルカメラが提案されている。例えば、特許文献１では、複数の表示領域が設けられたテンプレートと、撮像部からのスルー画像を同時に表示させながら撮影を行い、レイアウト画像データを生成することができる撮像装置が開示されている。この撮像装置によれば、ユーザは、画像の配置や相互関係を想定しながら撮影できるため、アルバム生成を容易に行える、という利便性が得られる。
【先行技術文献】
【特許文献】
【０００３】
【特許文献１】特開２００８−１７２３８号公報
【発明の概要】
【発明が解決しようとする課題】
【０００４】
しかしながら、前述した従来の撮像装置にあっては、単一のアルバムを生成することを前提とされており、撮影しながら同時に複数のアルバムを生成する状況については考慮されていない。
【０００５】
例えば、ユーザが長期の旅行で撮影した大量の画像を使ってアルバムを生成したい場合、旅行全体をまとめたメインアルバムと、旅行途中での遊園地での写真をまとめたサブアルバムとを生成することは考慮されていない。すなわち、撮影しながら異なるテーマで複数のアルバムを同時に（並行して）生成することは考慮されていなかった。
【０００６】
このため、従来の撮像装置では、こうした同時に（並行して）異なるテーマの複数のアルバム（例えば、メインアルバムとサブアルバム）を生成することは困難であった。
本発明は前述の問題点に鑑み、画像を撮影しながら電子アルバムを作成するモードでの撮影において、アルバム作成中に、所定の操作に応じてサブアルバムの作成を開始し、並行して複数のアルバムを作成できるようにすることを目的とする。
【課題を解決するための手段】
【０００７】
本発明の撮像装置は、アルバム生成モードを有する撮像装置であって、被写体を撮像して画像データを出力する撮像手段と、撮像手段から出力される撮影画像をレイアウトするためのテンプレートが複数記憶されたテンプレート記憶媒体と、前記テンプレート記憶媒体に記憶されている複数のテンプレートの中から、アルバムを作成するのに使用するテンプレートをユーザに選択させるテンプレート選択手段と、前記テンプレート選択手段により選択されたテンプレートを前記テンプレート記憶媒体から読出し、編集対象として表示部に設定するテンプレート設定手段と、前記テンプレート設定手段により設定されているテンプレートに前記撮像手段から出力される撮影画像を関連付けてアルバムデータを生成して記録するアルバム生成手段と、前記アルバム生成手段が編集している編集対象のアルバムを、ユーザ操作に応じてメインアルバムからサブアルバムに切替える編集アルバム切替え手段とを備えることを特徴とする。
【発明の効果】
【０００８】
本発明によれば、ユーザが撮像装置で異なるテーマの画像を撮影する状況において、異なるテーマ毎に複数のアルバム（メインアルバム、サブアルバム）を同時に作成することが容易となる。
【図面の簡単な説明】
【０００９】
【図１】第１の実施形態を示し、デジタルカメラの構成例を示すブロック図である。
【図２】アルバム生成モードの処理手順の一例を説明するフローチャートである。
【図３】アルバムデータのテンプレート及び記録媒体のディレクトリを示す図である。
【図４】アルバムデータの記述例を示す図である。
【図５】第１の実施形態におけるアルバムデータの表示画面の例を示す図である。
【図６】撮影画面の関連付け処理の手順を説明するフローチャートである。
【図７】アルバム生成モードの処理手順の他の例を説明するフローチャートである。
【発明を実施するための形態】
【００１０】
以下、本発明の実施形態について図面を参照して説明するが、この発明は以下の実施形態に限定されない。また、本発明の実施形態は発明の最も望ましい形態を示すものであり、発明の範囲を限定するものではない。
【００１１】
（第１の実施形態）
以下、本発明に係る撮像装置の電子アルバムを作成する処理の流れについて、図面を参照しながら、本発明の実施形態を説明する。
図１は、本発明の第１の実施形態における、デジタルカメラ（撮像装置）１００の構成を示すブロック図である。
図１において、制御部１０１に対し、撮像部１０２、表示部１０３、操作部１０４、ＲＯＭ１０５、ＲＡＭ１０６、記録制御部１０７が接続されており、記録制御部１０７には記録媒体１０８が接続されている。
【００１２】
制御部１０１は、プロセッサやバス、Ｉ／Ｏ等を含み、デジタルカメラ１００の全体動作を制御する。また、撮影時の制御や所定の画像処理等のほか、本実施形態に関わるアルバム生成に関するすべての処理を制御する。
撮像部１０２は、被写体を撮影して取得したアナログ信号をデジタルの画像データに変換し、画像データを出力する。また、ＡＤＣＴ（適応離散コサイン変換）等によりデータの圧縮処理を行う。また、ズーム、フォーカス、絞り調整などの制御も行う。
【００１３】
表示部１０３は、制御部１０１から入力された情報の表示を行う。表示部１０３は、例えば液晶パネル、或いは有機ＥＬパネル等であってよい。表示部１０３には、画像データによって表される画像や操作画面などが表示される。また表示部１０３は、ＳＶＧ標準規格を利用して記述されたアルバムデータの内容を解釈し、アルバム画面の表示を行う。
【００１４】
操作部１０４は、ユーザからの入力を行うユーザーインターフェースであり、例えばボタン、十字キー、タッチパネル等を有する。ＲＯＭ１０５は、不揮発性メモリであり、制御部１０１が実行するプログラムデータ、及びテンプレートデータが複数記憶するためのテンプレート記憶媒体として用いられる。テンプレートデータは、撮像部１０２から出力される撮影画像をレイアウトするために用いられる。テンプレートは、各画像枠の大きさ、形状、色、および背景色のいずれかに関わるデザイン情報を含む。ＲＡＭ１０６は、制御部１０１のメインメモリであり、制御部１０１によるプログラム実行に関わるデータの一時格納領域、或いは撮像部１０２から入力された画像データや、制御部１０１よって編集処理されるアルバムデータ等の一時格納領域として使用される。
【００１５】
記録制御部１０７は、画像データ、アルバムデータを記録媒体１０８に記録、或いは、記録媒体１０８から読み出す（再生する）処理を行う。記録媒体１０８は、画像データや、アルバムデータを記録する媒体であり、デジタルカメラへの着脱が可能なメモリカード、或いはハードディスクドライブなどである。或いは、デジタルカメラに内蔵されたフラッシュデバイス、ハードディスクなどであってもよい。
【００１６】
次に、図２のフローチャートを参照しながら、本実施形態のデジタルカメラにおけるアルバム生成モードの処理の流れについて説明する。アルバム生成モードは、例えば、表示部１０３に表示されたメニュー画面から、ユーザが操作部１０４を介してアルバム生成モードを選択することにより開始される。図２は、アルバム生成モードの処理の流れを示したフローチャートであり、各処理ステップは制御部１０１により実行される。
【００１７】
まず、Ｓ２０１において、ユーザに生成するアルバムデータのテンプレート（初期データ）を選択させる。図３（ａ）〜（ｄ）に、このとき表示部１０３に表示されるテンプレートの例を示す。アルバムデータは、アルバムのレイアウト情報を含むデータであり、レイアウト情報には、画像枠を配置する位置、画像枠の大きさ、画像枠を重ねたときのレイヤーの順番に関する情報が含まれる。アルバムデータは、ＳＶＧ（Ｓｃａｌａｂｌｅ Ｖｅｃｔｏｒ Ｇｒａｐｈｉｃｓ）標準規格を利用して記述される。
【００１８】
図４は、本実施形態における、ＳＶＧ標準規格で記述されたアルバムデータを示す図である。図４（ａ）に、図３（ａ）に相当するアルバムデータのテンプレートの例を示す。図４（ａ）では、画像枠の左上の座標と縦横の大きさを画像枠ごとに＜ｉｍａｇｅ＞要素４０１、＜ｉｍａｇｅ＞要素４０２、＜ｉｍａｇｅ＞要素４０３、＜ｉｍａｇｅ＞要素４０４の属性として設定されている。
【００１９】
画像枠にはめ込まれる画像データファイルを指定する各＜ｉｍａｇｅ＞要素の、“ｘｌｉｎｋ：ｈｒｅｆ”属性の初期値は、画像が存在しないため、空である。また、“ｉｄ”属性は画像枠ごとに数字で１から順に振る。これが配置する画像枠の識別子となる。例えば、図４（ａ）の＜ｉｍａｇｅ＞要素４０１では、識別子“ｉｄ”属性は１、左上座標は（５０、３０）、幅は２００、高さは１５０、画像データファイル名は未記入である。
【００２０】
なお、図４（ａ）に示す＜ｓｖｇ＞要素で囲まれた記述は、アルバムの１ページを対応するレイアウト情報を記述したものであるが、＜ｓｖｇ＞要素をページ数分だけ並列記載することにより、複数のページのレイアウト情報を持たせることが可能である。これにより、一つのＳＶＧファイルにより、一冊のアルバムに相当するアルバムデータを構成することが可能である。
【００２１】
アルバムデータのテンプレートは、ＲＯＭ１０５にファイルとして格納されている。そして、それらの中から、操作部１０４を介したユーザからの指定によって１つのテンプレートが選択されると、選択されたテンプレートをコピーして初期のアルバムデータが生成され、記録媒体１０８に記録される。アルバムデータの記録媒体１０８への記録は、図３（ｅ）に示すディレクトリ構成に従って行われる。
【００２２】
図３（ｅ）に示すように、生成されたアルバムデータは、記録媒体１０８のルートディレクトリ下のＳＶＧディレクトリに格納される。なお、Ｓ２０１では、“ＡＬＢＵＭ００１．ＳＶＧ”というファイル名のアルバムデータが生成されたものとして説明を続ける。
【００２３】
Ｓ２０１において、使用するテンプレートをユーザに選択させるテンプレート選択処理が終了したら、続いて、Ｓ２０２において、生成されたアルバムデータ（ＡＬＢＵＭ００１．ＳＶＧ）がデジタルカメラの表示部１０３に表示される。表示画面例を図５（ａ）に示す。図５（ａ）〜（ｅ）は、本実施形態における、アルバム生成モードにおける表示部１０３の表示画面例を示す。図５（ａ）において、表示部１０３には、アルバム画面５０１、サブアルバム生成開始ボタン５０２、アルバム生成終了ボタン５０３が表示される。
【００２４】
アルバム画面５０１には、ＡＬＢＵＭ００１．ＳＶＧに相当するアルバムデータが表示されている。画像枠（５０４、５０５、５０６、５０７）は、それぞれ、図４（ａ）の各＜ｉｍａｇｅ＞要素（４０１、４０２、４０３、４０４）に相当する。
【００２５】
図５（ａ）において、カーソルは、“ｉｄ”属性が１である画像枠５０４に設定されており、画像枠５０４には、撮像部１０２から入力されるスルー画像が表示される。その他の画像枠（５０５、５０６、５０７）は、空枠が表示される。サブアルバム生成開始ボタン５０２は、サブアルバムの生成を開始するためのボタンであり、アルバム生成終了ボタン５０３は、アルバム生成を終了させるためのボタンである。サブアルバム生成開始ボタン５０２、アルバム生成終了ボタン５０３についての詳細は、以降にて説明する。
【００２６】
続いて、Ｓ２０３において、撮像部１０２から入力された画像データ（撮影画像）をアルバムデータ（ＡＬＢＵＭ００１．ＳＶＧ）に関連付ける処理が実行される。Ｓ２０３の処理については、図６に示したフローチャートに沿って説明する。
【００２７】
図６のＳ６０１において、ユーザが操作部１０４の一部であるシャッターボタンを押下し、撮影操作が実行されると、Ｓ６０２の処理へと進む。一方、シャッターボタンが押されていない場合は、図６に示す処理を終了し、図２に示すＳ２０４への処理へと進む。ここでは、Ｓ６０２からの処理を先に説明し、Ｓ２０４の処理は後に説明する。
【００２８】
続いてＳ６０２において、撮像部１０２から入力されたデータから画像データを生成し、記録媒体１０８に記録する。このとき、画像データの記録は、図３（ｅ）に示したディレクトリフォーマットに従って、記録される。図３（ｅ）において、画像データは、ＤＣＩＭディレクトリの下にＩＭＧ＿０００１．ＪＰＧ、ＩＭＧ＿０００２．ＪＰＧ等のファイル名で記録される。
【００２９】
続いてＳ６０３において、Ｓ６０２にて生成、記録した画像データをアルバムデータ（ＡＬＢＵＭ００１．ＳＶＧ）に関連付ける処理を行う。
図５（ａ）において、カーソルは、“ｉｄ”属性が１である画像枠５０４に設定されており、このときに撮影して生成された画像データは、図４（ａ）に示す＜ｉｍａｇｅ＞要素４０１に関連付けられる。
【００３０】
具体的には、＜ｉｍａｇｅ＞要素４０１の、“ｘｌｉｎｋ：ｈｒｅｆ”属性に、画像データのファイル名が追加記述される。画像データのファイル名が追加記述されたアルバムデータ（ＡＬＢＵＭ００１．ＳＶＧ）の例を、図４（ｂ）に示す。図４（ｂ）において、＜ｉｍａｇｅ＞要素４０５の“ｘｌｉｎｋ：ｈｒｅｆ”属性には、画像データのファイル名“ＩＭＧ＿０００１．ＪＰＧ”が記述されている。
【００３１】
続いてＳ６０４において、Ｓ６０３にて更新されたアルバムデータ（ＡＬＢＵＭ００１．ＳＶＧ）が表示部１０３に表示される。ここで表示される画面例を図５（ｂ）に示す。図５（ｂ）において、図４（ｂ）の＜ｉｍａｇｅ＞要素４０５に相当する画像枠５０８には画像データ（ＩＭＧ＿０００１．ＪＰＧ）が挿入されて表示されており、カーソルは、“ｉｄ”属性が２である次の画像枠５０９に移動されている。
【００３２】
続いてＳ６０５において、アルバムの１ページ内の画像枠のすべてに画像データが関連付けられたか否かを判定し、画像枠すべてに画像データが関連付けられた場合は、Ｓ６０６の処理に進み、そうでない場合は、図６に示す処理を終了し、Ｓ２０４に進む。
Ｓ６０６では、アルバムデータに、次のページのレイアウト情報、すなわち新たな＜ｓｖｇ＞要素の記述を追加する。このとき、新たに生成される＜ｓｖｇ＞要素内の＜ｔｉｔｌｅ＞要素には、ページ数を示す内容が記述される。以上、図６を参照して説明した処理が、図２におけるＳ２０３において実行される。
【００３３】
なお、図６を用いた処理の説明では、撮影画像データが関連付けられる画像枠は、“ｉｄ”属性の順としたが、この限りでない。シャッターを押下する前に、操作部１０４を介してユーザによって、画像枠を指定できるようにしておくことも可能である。この場合、撮影画像データは、ユーザによって指定された画像枠に、関連付けられる。また、ユーザがシャッターを押下した後に画像枠を選択させることも可能である。この場合、ユーザがシャッターを押下した後、表示部１０３に画像枠を指定するための選択画面を表示させ、その後、操作部１０４を介してユーザによって指定された画像枠に、画像データが関連付けられる。
【００３４】
また、図６を用いた処理の説明では、撮影によって入力された画像データは、すべてアルバムデータに関連付けられるものとして説明したが、この限りではない。Ｓ６０３のアルバムデータへの関連付けを行う処理の前に、表示部１０３に、アルバムデータへの関連付けをするか否かの選択画面を表示する。その後、操作部１０４を介してユーザによって関連付けをすると選択された場合のみ、Ｓ６０３の処理を実行し、関連付けをしないと選択された場合には、図６の処理を終了するようにし、柔軟性を持たせることも可能である。
【００３５】
続いて、図２に戻り、説明を続ける。Ｓ２０４においては、サブアルバム生成開始ボタン５０２が押下されたか否かに応じて、編集対象のアルバムが、メインアルバムからサブアルバムに切替える編集アルバム切替え処理が行われる。すなわち、図５（ａ）に示すサブアルバム生成開始ボタン５０２がユーザ操作によって押下されたか否かを判断する。押下された場合は、Ｓ２０６へと進み、そうでない場合は、Ｓ２０５に進む。Ｓ２０４において、サブアルバム生成開始ボタン５０２がユーザによって押下されていない場合、Ｓ２０５において、図５（ａ）に示すアルバム生成終了ボタン５０３がユーザによって押下されたか否かを判断する。押下された場合は、Ｓ２１２へと進み、そうでない場合は、Ｓ２０３の処理に戻る。
【００３６】
すなわち、Ｓ２０４、Ｓ２０５において、図５（ａ）に示す、サブアルバム生成開始ボタン５０２と、アルバム生成終了ボタン５０３のどちらもが押下されない限り、Ｓ２０３の処理が繰り返される。すなわち、図５（ｂ）で説明した撮影画像データをアルバムデータ（ＡＬＢＵＭ００１．ＳＶＧ）に関連付ける処理が繰り返される。
【００３７】
ここでＳ２０４に戻り、説明を続ける。
Ｓ２０４において、サブアルバム生成開始ボタン５０２がユーザによって押下された場合はＳ２０６に進む。Ｓ２０６においては、アルバムデータ（ＡＬＢＵＭ００１．ＳＶＧ）の生成処理を一時中断する。そして、サブアルバム用のアルバムデータの生成を開始するために、サブアルバム用のテンプレートをＲＯＭ１０５から読出し、編集対象として表示部１０３に設定するテンプレート設定処理が行われる。ここで、例として、Ｓ２０６に進むまでにＳ２０３の処理が繰り返され、４ページ目の３つめの画像枠まで撮影画像データを関連付けられた後に、サブアルバム生成開始ボタン５０２が押下されたものとして、説明する。
【００３８】
この時点でのアルバムデータ（ＡＬＢＵＭ００１．ＳＶＧ）を図４（ｃ）に、アルバムデータ（ＡＬＢＵＭ００１．ＳＶＧ）の表示部１０３における表示画面例を図５（ｃ）に示す。図４（ｃ）において、＜ｉｍａｇｅ＞要素４０６には、ＩＭＧ＿００１５．ＪＰＧというファイル名の画像データが関連付けられている。図５（ｃ）において、＜ｉｍａｇｅ＞要素４０６に相当する画像枠５１０には、画像データ（ＩＭＧ＿００１５．ＪＰＧ）が挿入され、表示されている。
【００３９】
Ｓ２０６において、サブアルバムのテンプレートは、アルバムデータ（ＡＬＢＵＭ００１．ＳＶＧ）と同一のテンプレート、すなわち、図３（ａ）、図４（ａ）にて示したテンプレートが設定される。具体的には、ＲＯＭ１０５に格納されている、図４（ａ）に示すテンプレートコピーして、サブアルバムの初期のアルバムデータが生成され、アルバムデータ（ＡＬＢＵＭ００１．ＳＶＧ）と同様に、記録媒体１０８に記録される。なお、Ｓ２０６では、サブアルバム用に“ＡＬＢＵＭ００２．ＳＶＧ”というファイル名のアルバムデータが生成されたものとして説明を続ける。
【００４０】
ここで、生成されたアルバムデータ（ＡＬＢＵＭ００２．ＳＶＧ）を、図４（ｄ）に示す。図４（ｄ）において、最初の画像枠を示す“ｉｄ”１の＜ｉｍａｇｅ＞要素４０７には、アルバムデータ（ＡＬＢＵＭ００１．ＳＶＧ）のアルバム生成処理において、最後に関連付けた画像データと同一の画像データが関連付けられる。これにより、ユーザに、視覚的にアルバム間の関連性を認識させることが可能になる。
【００４１】
続いて、Ｓ２０７において、Ｓ２０６にて生成されたアルバムデータ（ＡＬＢＵＭ００２．ＳＶＧ）を、サブアルバムとして、アルバムデータ（ＡＬＢＵＭ００１．ＳＶＧ）に関連付ける処理が実行される。
【００４２】
ここで、図４（ｅ）に、サブアルバム用のアルバムデータ（ＡＬＢＵＭ００２．ＳＶＧ）が関連付けられたアルバムデータ（ＡＬＢＵＭ００１．ＳＶＧ）の例を示す。図４（ｅ）において、＜ｉｍａｇｅ＞要素４０８に対して、リンクを示す＜ａ＞要素４０９の記述が追加されている。リンク先を示す“ｘｌｉｎｋ：ｈｒｅｆ”属性は、“ＡＬＢＵＭ００２．ＳＶＧ”が記述される（なお、＜ｉｍａｇｅ＞要素４０８は、図４（ｃ）の＜ｉｍａｇｅ＞要素４０６と同じである）。また、＜ｄｅｓｃ＞要素４１０の記述が追加され、コメント文“サブアルバム”が記述される。このような記述を追加することにより、アルバムデータ（ＡＬＢＵＭ００２．ＳＶＧ）は、サブアルバムとして、アルバムデータ（ＡＬＢＵＭ００１．ＳＶＧ）に関連付けられる。
【００４３】
続いて、Ｓ２０８において、サブアルバム用に生成されたアルバムデータ（ＡＬＢＵＭ００２．ＳＶＧ）がデジタルカメラの表示部１０３に表示される。ここでの表示画面例を図５（ｄ）に示す。図５（ｄ）は、サブアルバムのアルバム生成モードを示す表示画面であり、最初の画像枠５１１には、図４（ｄ）の＜ｉｍａｇｅ＞要素４０７に相当する画像データが表示されている。すなわち、図５（ｃ）の画像枠５１０に表示されている画像データ（ＩＭＧ＿００１５．ＪＰＧ）と同じ画像データが、あらかじめ挿入され、表示されている。また、サブアルバムの生成を終了させるためのサブアルバム生成終了ボタン５１２が表示される。このサブアルバム生成終了ボタン５１２は、サブアルバムのテンプレートを用いたアルバムデータの生成を終了させるための終了操作手段をユーザに提供するために表示される。
【００４４】
続いてＳ２０９において、撮像部１０２から入力された画像をアルバムデータ（ＡＬＢＵＭ００２．ＳＶＧ）に関連付ける処理が実行される。Ｓ２０９では、Ｓ２０３において説明した処理と同一の処理が、アルバムデータ（ＡＬＢＵＭ００２．ＳＶＧ）に対して実行される。
【００４５】
続いて２１０において、図５（ｄ）に示すサブアルバム生成終了ボタン５１２がユーザによって押下された場合は、Ｓ２１１へと進み、そうでない場合は、Ｓ２０９の処理に戻る。すなわち、Ｓ２１０において、図５（ｄ）に示すサブアルバム生成終了ボタン５１２が押下されない限り、Ｓ２０９の処理、すなわち、撮影画像データをアルバムデータ（ＡＬＢＵＭ００２．ＳＶＧ）に関連付ける処理が繰り返される。
【００４６】
Ｓ２１１では、サブアルバム用のアルバムデータ（ＡＬＢＵＭ００２．ＳＶＧ）の生成処理を終了し、生成を中断していたアルバムデータ（ＡＬＢＵＭ００１．ＳＶＧ）を表示部１０３に表示する。ここでの表示画面例を図５（ｅ）に示す。図５（ｅ）では、生成を中断していたアルバムデータ（ＡＬＢＵＭ００１．ＳＶＧ）が表示される。この場合、アルバムデータ（ＡＬＢＵＭ００１．ＳＶＧ）に最後に関連付けられた画像枠５１３には、図４（ｅ）の＜ｄｅｓｃ＞要素４１０のコメント文“サブアルバム”が表示される。これにより、サブアルバムが生成されていることが容易に確認できるようになっている。
【００４７】
また、図５（ｅ）の画面において、ユーザに、各画像枠を選択できるようにしておく。そして、画像枠５１３が選択された場合は、図４（ｅ）で説明したように、ＳＶＧ標準規格の＜ａ＞要素４０９の機能を利用して、サブアルバムのアルバムデータ（ＡＬＢＵＭ００２．ＳＶＧ）を表示させるようにすることも可能である。Ｓ２１１において、サブアルバム用のアルバムデータ（ＡＬＢＵＭ００２．ＳＶＧ）の生成処理を終了した後は、アルバムデータ（ＡＬＢＵＭ００１．ＳＶＧ）へのアルバム生成処理が再開される。
【００４８】
最後に、Ｓ２０５において、アルバム生成終了ボタン５０３がユーザによって押下された場合は、Ｓ２１２において、アルバムデータ（ＡＬＢＵＭ００１ＳＶＧ）のアルバム生成処理を完了し、アルバム生成モードを終了する。
【００４９】
以上、図２及び図６を用いて説明したアルバム生成モードの処理により、アルバム生成モードでアルバムを生成している最中に、容易に、サブアルバムを生成することができる。なお、本実施形態では、Ｓ２０６において、サブアルバムのテンプレートを、アルバムデータ（ＡＬＢＵＭ００１．ＳＶＧ）と同じテンプレートとしたが、この限りではない。Ｓ２０１と同様に、ユーザに生成するアルバムデータのテンプレート（初期データ）を選択させて、自由度を上げてもよい。
【００５０】
また、Ｓ２０６において、アルバムデータ（ＡＬＢＵＭ００２．ＳＶＧ）の最初の画像枠を示す“ｉｄ”属性１の＜ｉｍａｇｅ＞要素４０７には、以下のようにしてもよい。すなわち、アルバムデータ（ＡＬＢＵＭ００１．ＳＶＧ）のアルバム生成処理において最後に関連付けた画像データと同一の画像データを関連付ける他に、画像データを関連付けずに初期のアルバムデータ（ＡＬＢＵＭ００２．ＳＶＧ）を生成するようにしてもよい。
【００５１】
さらに、本実施形態では、Ｓ２１１において、サブアルバム用のアルバムデータ（ＡＬＢＵＭ００２．ＳＶＧ）の生成処理を終了する際に、以下のようにしてもよい。例えば、アルバムデータ（ＡＬＢＵＭ００２．ＳＶＧ）に最後に関連付けられた画像データを、アルバムデータ（ＡＬＢＵＭ００１．ＳＶＧ）の再開後最初の画像枠に関連付ける処理を実行し、ユーザに、視覚的にアルバム間の関連性を認識させるようにしてもよい。
【００５２】
さらに、本実施形態では、Ｓ２１１、Ｓ２１２にて説明したアルバム生成終了処理では、アルバムのタイトルや、表紙を編集するモードを設けてもよい。また、サブアルバムを生成している場合は、更にサブとなるアルバムを生成できないものとして説明したが、この限りではない。
【００５３】
図５（ａ）にて示したサブアルバム生成開始ボタン５０２と同様のボタンを、図５（ｄ）に示したサブアルバム用のアルバム生成モード画面に表示する。そして、ユーザによって同ボタンが選択された場合、Ｓ２０６からＳ２１１にて説明した処理と同様の処理を実行することにより、サブアルバムの更にサブとなるアルバムを生成できるようにしてもよい。またこの場合、生成できるサブアルバムの数を制限してもよい。
【００５４】
（第２の実施形態）
前述した第１の実施形態では、本発明における撮像装置のアルバム生成手段による処理の流れを例示するものとして、アルバム生成モードにおいてアルバムを生成している最中にサブアルバムを生成する処理の流れについて説明した。第２の実施形態では、サブアルバムの生成を開始した後、ユーザにサブアルバムの生成処理の終了を促す機能を追加した場合の実施形態について、図面を参照しながら説明する。なお、第２の実施形態におけるデジタルカメラの機能ブロック構成については、第１の実施形態と同一であるため説明を割愛する。
【００５５】
図７を参照し、本実施形態のデジタルカメラにおけるアルバム生成モードの処理の流れについて説明する。なお、第１の実施形態において、図２にて説明した処理と同様の処理については、同一の番号を付与し説明を割愛する。
【００５６】
Ｓ７０１において、サブアルバム用のアルバム生成を開始した直後、タイマを開始する。
次に、Ｓ７０２において、タイマが所定時間に到達した場合は、Ｓ７０３において表示部１０３を介し、ユーザに警告メッセージを表示する。
【００５７】
以上説明した処理により、サブアルバムの生成を開始した後、所定時間後に警告メッセージを発することにより、ユーザがサブアルバムを生成していることを忘れてしまった場合でも、サブアルバムの生成処理の終了を促すことが可能になる。
【００５８】
また、アルバム生成モードにおいて、メインアルバムのテンプレートを用いてアルバムデータの生成が開始された場合、中断しているテンプレートが既に所定数を超えている場合がある。この場合は、ユーザに編集対象のテンプレートをサブアルバムのテンプレートに切替えるための編集アルバム切替え処理を行うことができないようにする。
【００５９】
なお、本実施形態では、警告メッセージを発する契機を所定時間経過後としたが、この限りではなく、ユーザがデジタルカメラの電源を投入した直後や、電源断を実行する際に警告メッセージを発してもよい。また、警告メッセージを発するのではなく、サブアルバムの生成処理を強制終了するようにしてもよい。
【００６０】
（その他の実施形態）
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００６１】
１００  デジタルカメラ、１０１  制御部、１０２  撮像部、１０３  表示部、１０４  操作部、１０５  ＲＯＭ、１０６  ＲＡＭ、１０７  記録制御部、１０８  記録媒体
【図１】
2012023612.tif 000003
【図２】
2012023612.tif 000004
【図３】
2012023612.tif 000005
【図４】
2012023612.tif 000006
【図５】
2012023612.tif 000007
【図６】
2012023612.tif 000008
【図７】
2012023612.tif 000009